(57)【要約】【課題】キャビティのシール面を保護しつつコネクタを低背化する。【解決手段】本発明は、シール面７２が形成されたキャビティ６１に後方から挿入される端子金具１１であって、箱部２０と、この箱部２０の後方に形成されたバレル部４０と、箱部２０の後縁に形成されたスタビライザ３０とを備え、バレル部４０によって電線Ｗとともに固着されたゴム栓５０がシール面７２に密着することでキャビティ６１が液密状にシールされるようになっており、スタビライザ３０におけるシール面７２と接触する部分は曲面部３３として構成されており、この曲面部３３は、展開状態のスタビライザ３０を前後方向に折り曲げて形成されている構成としたところに特徴を有する。【選択図】図１
2013197073.tif 000002
【特許請求の範囲】
【請求項１】
シール面が形成されたキャビティに後方から挿入される端子金具であって、
箱部と、
この箱部の後方に形成されたバレル部と、
前記箱部の後縁に形成されたスタビライザとを備え、
前記バレル部によって電線とともに固着されたゴム栓が前記シール面に密着することで前記キャビティが液密状にシールされるようになっており、
前記スタビライザにおける前記シール面と接触する部分は曲面部として構成されており、この曲面部は、展開状態のスタビライザを前後方向に折り曲げて形成されていることを特徴とする端子金具。
【請求項２】
前記スタビライザは、前記箱部を構成する壁の後縁から前方に折り返すことで形成された折り返し部と、この折り返し部の前縁から立ち上がる当接部とを含んで構成され、当接部における前記折り返し部と反対側の端部に前記曲面部が形成されていることを特徴とする請求項１に記載の端子金具。
【請求項３】
前記折り返し部は、密着曲げにより形成されていることを特徴とする請求項２に記載の端子金具。
【請求項４】
請求項１ないし請求項３のいずれか一項に記載の端子金具を保持する端子保持部と、
前記端子保持部の前面に装着されるフロントホルダとを備え、
前記フロントホルダに設けられたロック部と前記端子保持部に設けられたロック受け部とが前後方向に係止することで、前記フロントホルダが前記端子保持部に保持されるようになっており、前記端子保持部における前記ロック受け部の後方には、前記スタビライザが進入することで前記端子金具の前記キャビティへの挿入動作を案内する案内溝が形成されていることを特徴とするコネクタ。
【発明の詳細な説明】
【技術分野】
【０００１】
本発明は、スタビライザを備えた端子金具およびコネクタに関する。
【背景技術】
【０００２】
従来、端子金具の逆挿入を防止する機構として、スタビライザを利用したものが知られている。この端子金具は、弾性接触片が内部に形成された箱部を有し、この箱部を構成する側壁から立ち上がる形態でスタビライザが形成されている。このスタビライザは、側面視略方形をなし、正規挿入時には、キャビティの内壁に形成された挿通溝に進入することで端子金具の挿入を許容するものの、逆挿入時には、キャビティの入口部分に当接することで端子金具の挿入を規制するようになっている。
【先行技術文献】
【特許文献】
【０００３】
【特許文献１】特開２００３−２９７４９０号公報
【発明の概要】
【発明が解決しようとする課題】
【０００４】
しかしながら、上記の端子金具では、スタビライザの上縁における前後両端部に角部が形成されているため、この角部がキャビティの内壁に当たってシール面を傷付けてしまう場合があり、端子金具に固着されたゴム栓のシール性能を低下させてしまうおそれがある。また、スタビライザが形成された部分において箱部が開くことを防止すべく、スタビライザを下方に折り返して形成し、この折り返されたスタビライザの先端部を箱部の天井壁の内側に潜り込ませて二重壁とする必要があるため、端子金具が上下方向に大型化し、これに伴って端子金具が収容されたコネクタも上下方向に大型化してしまう。
【０００５】
本発明は上記のような事情に基づいて完成されたものであって、キャビティのシール面を保護しつつコネクタを低背化することを目的とする。
【課題を解決するための手段】
【０００６】
本発明は、シール面が形成されたキャビティに後方から挿入される端子金具であって、箱部と、この箱部の後方に形成されたバレル部と、箱部の後縁に形成されたスタビライザとを備え、バレル部によって電線とともに固着されたゴム栓がシール面に密着することでキャビティが液密状にシールされるようになっており、スタビライザにおけるシール面と接触する部分は曲面部として構成されており、この曲面部は、展開状態のスタビライザを前後方向に折り曲げて形成されている構成としたところに特徴を有する。
【０００７】
このような構成によると、スタビライザがキャビティに進入してシール面に接触した場合であっても、スタビライザにおけるシール面と接触する部分が曲面部として構成されているため、シール面に傷が付くことを防止できる。また、スタビライザを箱部の後縁に形成しているため、スタビライザを形成したことに伴う箱部の開き止めが不要となる。したがって、箱部を構成する壁のうちスタビライザが形成された部分を二重壁としなくてもよく、箱部を低背化することができる。また、端子金具の低背化に伴ってコネクタも低背化することができる。
【０００８】
本発明の実施の態様として、以下の構成が好ましい。
スタビライザは、箱部を構成する壁の後縁から前方に折り返すことで形成された折り返し部と、この折り返し部の前縁から立ち上がる当接部とを含んで構成され、当接部における折り返し部と反対側の端部に曲面部が形成されている構成としてもよい。
このような構成によると、端子金具をキャビティに対して上下逆に挿入した、いわゆる逆挿入時に、当接部が、キャビティの内壁に形成された規制部に当接することで端子金具の逆挿入が規制可能となる。このとき、当接部が規制面から強い力を受けて折り返し部がその後縁を回動中心として箱部の壁から離間するように開こうとするものの、当接部の先端がキャビティの内壁に当接することで折り返し部の開きが規制される。したがって、端子金具の逆挿入時に、当接部が規制面から強い力を受けて折り返し部が開くことを規制できるため、端子金具の逆挿入を規制することができる。
【０００９】
折り返し部は、密着曲げにより形成されている構成としてもよい。
このような構成によると、折り返し部の開きをより確実に規制できる。
【００１０】
また、本発明は、上記の端子金具を保持する端子保持部と、端子保持部の前面に装着されるフロントホルダとを備え、フロントホルダに設けられたロック部と端子保持部に設けられたロック受け部とが前後方向に係止することで、フロントホルダが端子保持部に保持されるようになっており、端子保持部におけるロック受け部の後方には、スタビライザが進入することで端子金具のキャビティへの挿入動作を案内する案内溝が形成されている構成としてもよい。
このような構成によると、ロック受け部の後方に、このロック受け部を成形するための型抜き孔が形成されることになる。この型抜き孔を案内溝として利用することができるため、案内溝を別途設ける場合よりも端子保持部の構成を簡素化することができる。
【発明の効果】
【００１１】
本発明によれば、キャビティのシール面を保護しつつコネクタを低背化することができる。
【図面の簡単な説明】
【００１２】
【図１】実施形態１における端子金具が電線の端末に接続された状態を示す側面図
【図２】端子金具の平面図
【図３】箱部の内部構造を示す一部切り欠き側面図
【図４】端子金具の正面図
【図５】展開状態における端子金具を示す平面図
【図６】図３の端子金具がハウジングのキャビティに正規に挿入された状態を示す断面図
【図７】図３の端子金具がハウジングのキャビティに上下逆に挿入された状態を示す断面図
【図８】ハウジングのキャビティ周辺を後方から見た背面図
【図９】図８において端子金具が正規に挿入された状態を示す背面図
【図１０】図８において端子金具が上下逆に挿入された状態を示す背面図
【図１１】実施形態２における端子金具が電線の端末に接続された状態を示す側面図
【発明を実施するための形態】
【００１３】
＜実施形態１＞
本発明の実施形態１を図１ないし図１０の図面を参照しながら説明する。本実施形態における端子金具１１は、図１に示すように、角筒状をなす箱部２０と、この箱部２０の後方に形成されたバレル部４０とを備えて構成されている。このバレル部４０は、ワイヤバレル部４１と、このワイヤバレル部４１の後方に形成されたインシュレーションバレル部４２とからなる。電線Ｗの端末には、絶縁被覆Ｗ２が皮剥ぎされることで芯線Ｗ１が露出しており、この芯線Ｗ１がワイヤバレル部４１に圧着されている。また、絶縁被覆Ｗ２の外周面には、円筒状をなすゴム栓５０が嵌着されており、このゴム栓５０は、電線Ｗとともにインシュレーションバレル部４２に圧着されている。
【００１４】
箱部２０の内部には、図３に示すように、弾性接触片２１が形成されている。この弾性接触片２１は、箱部２０を構成する底壁２２の前縁から後方に折り返すことによって形成されている。弾性接触片２１の後縁には、同後縁から前方に折り返すことによって補助片２３が形成されている。この補助片２３の先端には、箱部２０の底壁２２に当接した支点部２４が形成されている。補助片２３における支点部２４よりも先端側は、箱部２０の底壁２２に接触しないように上方に折り返されている。また、箱部２０の底壁２２における弾性接触片２１の後方には、ランスホール２９が上下方向に貫通して形成されている。
【００１５】
箱部２０は、図４に示すように、底壁２２と、この底壁２２の左右両側縁から対向状態をなして上方に立ち上がる左右一対の側壁２５Ｌ，２５Ｒと、右側壁２５Ｒの上縁から左側壁２５Ｌの上縁に向けて延びる天井壁２６とを備えて構成されている。天井壁２６の左端部２６Ｌは、板厚一枚分だけ下方に叩き出されている。この天井壁２６の左端部２６Ｌの上面には、図２に示すように、開き防止片２７が上方から重ねられて接触しており、この開き防止片２７は、左側壁２５Ｌの上縁から右方に延びる形態で形成されている。開き防止片２７により天井壁２６の開きが防止され、箱部２０が角筒形状に保持されている。
【００１６】
箱部２０の天井壁２６には、左右一対のビード部２８，２８が設けられている。各ビード部２８，２８は、前後方向に延びる形態をなし、左側のビード部２８は、開き防止片２７の右側縁の下方に配されている。また、各ビード部２８，２８は、図４に示すように、下方に叩き出されることで形成され、正面視円弧状をなして下方に突出している。一方、弾性接触片２１の上面には、接点部２１Ａが形成されている。この接点部２１Ａは、左右方向において各ビード部２８，２８の中央の位置に配されている。これにより、箱部２０にタブ端子（図示せず）が前方から挿入されると、タブ端子が接点部２１Ａと各ビード部２８，２８との間で上下方向から挟持され、端子金具１１とタブ端子が導通可能に接続される。
【００１７】
天井壁２６の後縁における中央部には、スタビライザ３０が形成されている。このスタビライザ３０は、図５に示す展開状態におけるスタビライザ３０を前後方向に曲げることによって形成されている。スタビライザ３０は、図１に示すように、天井壁２６の後縁から前方に折り返すことで天井壁２６の上面に密着曲げされた折り返し部３１と、この折り返し部３１の前縁から上方に立ち上がる当接部３２とを備えて構成されている。この当接部３２は、折り返し部３１の前縁から上方に立ち上げた後、その上縁から下方に折り返すことで略Ｕ字状に形成されている。当接部３２の曲げ端部は、曲面部３３として構成されている。一方、当接部３２の折り返し後における先端部は、折り返し部３１の上面に当接している。なお、スタビライザ３０は、図２に示すように、開き防止片２７よりも右方に位置するとともに、各ビード部２８よりも後方に位置している。
【００１８】
次に、端子金具１１が収容されるキャビティ６１を備えたハウジング６０の構成について説明する。ハウジング６０は、図６に示すように、端子金具１１を保持する端子保持部７０と、この端子保持部７０の前面に装着されるフロントホルダ８０とを備えて構成されている。キャビティ６１は、端子保持部７０の内壁とフロントホルダ８０の内壁とによって構成されている。キャビティ６１は、端子金具１１の箱部２０およびバレル部４０を収容する部分と、ゴム栓５０を収容する部分とからなり、このゴム栓５０を収容する部分は、端子金具１１の箱部２０およびバレル部４０を収容する部分よりも一回り大きいものとされている。
【００１９】
また、キャビティ６１におけるゴム栓５０を収容する部分を構成する周面は、ゴム栓５０に密着するシール面７２とされている。ゴム栓５０がキャビティ６１に収容されると、ゴム栓５０がシール面７２に全周に亘って密着することでキャビティ６１が液密状にシールされる。
【００２０】
端子保持部７０の底面には、ランス７１が形成されている。このランス７１は、端子保持部７０の底面から片持ち状をなして前方に延びる形態とされている。また、ランス７１の上面には、係止突起７１Ａが上方に突出する形態で形成されている。係止突起７１Ａの前面は、上縁から下縁に向けて奥側（後方）に傾斜しており、係止突起７１Ａは、端子金具１１のランスホール２９に下方から入り込んでいる。このため、端子金具１１が後方に引っ張られると、ランスホール２９の前縁が係止突起７１Ａの前面に当接することで端子金具１１の抜け止めがなされる。
【００２１】
また、端子保持部７０においてランス７１と反対側の上面には、案内溝７３が形成されている。この案内溝７３は、図８に示すように、後方に臨んで配されている。一方、フロントホルダ８０には、図６に示すように、案内溝７３に上方から嵌まり込むロック部８１が形成されている。このロック部８１は、上下方向に弾性変形可能とされたアーム部８２によって上下方向に変位可能とされている。この結果、ロック部８１が案内溝７３に嵌まり込むと、案内溝７３の前面を構成するロック受け部７４に対してロック部８１が後方から係止した状態となり、フロントホルダ８０が端子保持部７０に固定される。これにより、ハウジング６０が構成され、このハウジング６０のキャビティ６１に端子金具１１が挿入されることで、コネクタ１０が構成される。
【００２２】
なお、案内溝７３は、ロック受け部７４を成形するための型抜き孔を兼用させたものであり、案内溝７３を型抜き孔とは別に設ける場合よりもハウジング６０の構成を簡素化することができる。
【００２３】
端子金具１１が正規の姿勢でキャビティ６１に挿入されると、図９に示すように、スタビライザ３０が案内溝７３に進入することで端子金具１１のキャビティ６１に対する挿入動作が案内される。しかしながら、スタビライザ３０が上下逆の姿勢でキャビティ６１に挿入されると、図７および図１０に示すように、当接部３２が、ランス７１の後端部に形成された規制部７５に当接することで端子金具１１の誤挿入が検知される。このとき、ゴム栓５０はキャビティ６１の後方に位置している。
【００２４】
また、当接部３２が規制部７５に強い力で当接した場合、スタビライザ３０は、底壁２２の後縁を回動中心として下方に開き変形しようとすることが考えられる。この場合でも、折り返し部３１が密着曲げによって形成されているため、スタビライザ３０の開き変形は規制される。仮に、スタビライザ３０が下方に開き変形した場合であっても、当接部３２の端部が底壁２２に当接した時点で開き変形が規制される。さらに、当接部３２の端部が底壁２２に当接してもシール面７２の傷付きを防止できる。
【００２５】
また、端子金具１１がキャビティ６１に挿入される途上で当接部３２がシール面７２に接触する場合もあり得る。しかしながら、当接部３２におけるシール面７２と接触する部分は曲面部３３として構成されているため、シール面７２を傷付けるおそれはない。よって、ゴム栓５０がシール面７２に密着した状態におけるシール性能を低下させることはない。
【００２６】
以上のように本実施形態では、スタビライザ３０に曲面部３３を設けたから、端子金具１１をキャビティ６１に挿入する途上でシール面７２を傷付けるおそれがない。また、端子金具１１の逆挿入時には、スタビライザ３０の当接部３２が規制部７５に当接することで誤挿入が検知される。また、端子金具１１の正規挿入時には、スタイビライザ３０が案内溝７３に進入して端子金具１１の挿入動作が案内される。また、スタビライザ３０は開き防止片２７と干渉しない位置に設けられているから、スタビライザ３０の一部を天井壁２６の内側に潜り込ませて二重壁とする必要がなく、板厚一枚分だけ箱部２０を低背化することができる。これに伴って、箱部２０を収容するハウジング６０を低背化することができ、コネクタ１０を低背化することができる。
【００２７】
＜実施形態２＞
次に、本発明の実施形態２を図１１の図面を参照しながら説明する。本実施形態の端子金具１２は、実施形態１のスタビライザ３０の構成を一部変更したものであって、その他の構成、作用、および効果については実施形態１と同じであるため、実施形態１と重複する説明については省略する。
【００２８】
本実施形態のスタビライザ１３０は、天井壁２６の後縁から前方に折り返すことで天井壁２６の上面に密着曲げされた折り返し部１３１と、この折り返し部１３１の前縁から上方に立ち上がる当接部１３２と、この当接部１３２の上縁から斜め下後方に延びるテーパ部１３４とを備えて構成されている。このような構成によると、テーパ部１３４によって当接部１３２の後方への倒れ防止をより強固に行うことができる。なお、本実施形態では当接部１３２からテーパ部１３４にかけての範囲に曲面部１３３が設けられているため、シール面７２を傷付けるおそれはない。
【００２９】
＜他の実施形態＞
本発明は上記記述及び図面によって説明した実施形態に限定されるものではなく、例えば次のような実施形態も本発明の技術的範囲に含まれる。
（１）上記実施形態では雌型の端子金具に適用したものを例示しているものの、本発明によると、雄型の端子金具に適用してもよい。
【００３０】
（２）上記実施形態では折り返し部を含んだ端子金具を例示しているものの、本発明によると、折り返し部を含まない端子金具に適用してもよい。すなわち、スタビライザが、箱部の天井壁の後縁から上方に立ち上がる当接部によって構成され、この当接部の上端部が曲面部とされたものとしてもよい。
【００３１】
（３）上記実施形態では、案内溝７３がロック受け部７４の型抜き孔によって構成されているものの、本発明によると、案内溝をロック受け部７４の型抜き孔とは別に設けてもよい。
【符号の説明】
【００３２】
１０…コネクタ
１１，１２…端子金具
２０…箱部
２６…天井壁（箱部を構成する壁）
３０，１３０…スタビライザ
３１，１３１…折り返し部
３２，１３２…当接部
３３，１３３…曲面部
４０…バレル部
５０…ゴム栓
６１…キャビティ
７０…端子保持部
７２…シール面
７３…案内溝
７４…ロック受け部
８０…フロントホルダ
８１…ロック部
Ｗ…電線
【図１】
2013197073.tif 000003
【図２】
2013197073.tif 000004
【図３】
2013197073.tif 000005
【図４】
2013197073.tif 000006
【図５】
2013197073.tif 000007
【図６】
2013197073.tif 000008
【図７】
2013197073.tif 000009
【図８】
2013197073.tif 000010
【図９】
2013197073.tif 000011
【図１０】
2013197073.tif 000012
【図１１】
2013197073.tif 000013